(57)【要約】【課題】高い清掃能力を得られる乗客コンベアの移動手摺の清掃装置を提供する。【解決手段】乗客コンベア両側の無端ベルトで構成される移動手摺３の反転部５下方のフロア７上に設置される清掃装置１を、前記移動手摺３の反転部５下側において、該移動手摺３に押圧接触して回転駆動される駆動ローラ２９と、前記駆動ローラ２９の回転を伝達する動力伝達機構（ウォーム３１、ウォームホイール３７、平歯車３９，４５，５１）と、前記動力伝達機構を介して動力伝達されて前記移動手摺３の幅方向と平行な軸周りに回転し、清掃剤（洗浄液６５）が付着された外周面を該移動手摺３の外周面にすべり接触させ、前記移動手摺３の外周面を拭きながら清掃する清掃ローラ２７と、前記清掃剤を、前記清掃ローラ２７の外周面に供給する清掃剤供給手段（洗浄液供給ローラ５７、洗浄液容器２３ａ）と、を含んで構成した。【選択図】図１
2008063103.tif 000002
【特許請求の範囲】
【請求項１】
乗客コンベア両側の無端ベルトで構成される移動手摺の反転部下方のフロア上に設置され、
前記移動手摺の反転部下側において、該移動手摺に押圧接触して回転駆動される駆動ローラと、
前記駆動ローラの回転を伝達する動力伝達機構と、
前記動力伝達機構を介して動力伝達されて前記移動手摺の幅方向と平行な軸周りに回転し、清掃剤が付着された外周面を該移動手摺の外周面にすべり接触させ、該移動手摺の外周面を拭きながら清掃する清掃ローラと、
前記清掃剤を、前記清掃ローラの外周面に供給する清掃剤供給手段と、
を含んで構成されたことを特徴とする乗客コンベアの移動手摺の清掃装置。
【請求項２】
前記清掃剤供給手段は、清掃剤として洗浄液を用いる湿式、または、清掃剤として固形のコーティング剤を用いる乾式であることを特徴とする請求項１に記載の乗客コンベアの移動手摺の清掃装置。
【請求項３】
前記湿式の清掃剤供給手段は、
前記清掃ローラの下方に平行に軸支され、少なくとも外周部に洗浄液が含浸する部材で形成された洗浄液供給ローラと、
洗浄液を、前記洗浄液供給ローラの下部が浸されるように貯える洗浄液容器と、
を含んで構成され、
前記洗浄液供給ローラを、洗浄液を含浸した外周面を、前記清掃ローラの外周面へ押圧接触させながら該清掃ローラの回転に従属して回転させることで、該清掃ローラの外周面に洗浄液を浸透させて供給することを特徴とする請求項２に記載の乗客コンベアの移動手摺の清掃装置。
【請求項４】
前記乾式の清掃剤供給手段は、
前記清掃ローラの外周面へ前記コーティング剤の上面を押圧接触させて、コーティング剤を塗布して供給することを特徴とする請求項２または請求項３に記載の乗客コンベアの移動手摺の清掃装置。
【請求項５】
弾性力によって、前記洗浄液供給ローラまたはコーティング剤を前記清掃ローラの外周面へ押圧接触させる第１弾性体を設けたことを特徴とする請求項３または請求項４に記載の乗客コンベアの移動手摺の清掃装置。
【請求項６】
弾性力によって、前記清掃ローラを上方向に付勢して前記移動手摺の外周面へ押圧接触させる第２弾性体を設けたことを特徴とする請求項１〜請求項５のいずれか1つに記載の乗客コンベアの移動手摺の清掃装置。
【請求項７】
前記動力伝達機構と、清掃ローラと、清掃剤供給手段と、を格納するハウジングを設け、該ハウジングを着脱自由に前記フロアに支持することを特徴とする請求項１〜請求項６のいずれか１つに記載の乗客コンベアの移動手摺の清掃装置。
【請求項８】
前記フロア上に垂直に設けた支柱と、該支柱に上下動位置調整自由で、かつ、支柱の周りを水平面内回転自由に設けられる支持レバーと、を設け、前記ハウジングを前記支持レバーに支持することを特徴とする請求項７に記載の乗客コンベアの移動手摺の清掃装置。
【請求項９】
前記ハウジングは、前記支持レバーに垂直面内回転自由に支持すると共に、該支持部に該ハウジングを前記移動手摺方向に付勢する捻りコイルばねを設けたことを特徴とする請求項８に記載の乗客コンベアの移動手摺の清掃装置。
【請求項１０】
前記清掃ローラは、軸方向の両端部が前記移動手摺の形状に沿って湾曲して形成されていることを特徴とする請求項１〜請求項９のいずれか１つに記載の乗客コンベアの移動手摺の清掃装置。
【請求項１１】
前記動力伝達機構は、前記駆動ローラの回転を減速させて前記清掃ローラへ伝達することを特徴とする請求項１〜請求項１０のいずれか１つに記載の乗客コンベアの移動手摺の清掃装置。
【発明の詳細な説明】
【技術分野】
【０００１】
本発明は、乗客コンベアの移動手摺の清掃装置に関し、特に、清掃能力を向上させる技術に関する。
【背景技術】
【０００２】
駅構内やビルなどのエスカレータなど乗客コンベアの無端ベルトで構成される移動手摺は、乗客が手で触れるため、清掃によって清潔に保つ必要がある。
近年では上記清掃を自動で行う装置が開発されているが、小型化によって、移動手摺の反転部下方のフロアへの載置、乗客の通行時の清掃、人の手による持ち運びなどを可能とし、さらには、移動手擦の駆動力を利用して移動手擦を拭き、電源を省略した装置も開発されている。
【０００３】
このような装置として特許文献１に記載のものでは、移動手摺の外周面に当接する円柱状の清掃部材（清掃ローラ）と、下部が消毒液槽内の消毒液に浸された状態で清掃部材の外周面に下方から当接する消毒液供給部材（洗浄液供給ローラ）と、が設けられている。そして、移動する移動手摺の外周面との接触摩擦によって、清掃部材が連動して回転し、回転する清掃部材の外周面との接触摩擦によって、消毒液供給部材が連動して回転し、消毒液を清掃部材の表面に付着させ、清掃部材によって消毒液を移動手擦に塗布し、清掃を行っている。
【特許文献１】特開２００２−２０５８９０号公報
【発明の開示】
【発明が解決しようとする課題】
【０００４】
しかしながら、特許文献１に記載のものでは、清掃部材は、移動手摺の移動に従って回転しているため、清掃部材と移動手摺との接触面にはすべりが生じず、清掃能力が十分に得られないという問題点があった。
本発明は、以上のような従来の問題点に鑑みてなされたものであり、高い清掃能力を得られる乗客コンベアの移動手摺の清掃装置を提供することを目的とする。
【課題を解決するための手段】
【０００５】
このため本発明は、乗客コンベア両側の無端ベルトで構成される移動手摺の反転部下方のフロア上に設置され、前記移動手摺の反転部下側において、該移動手摺に押圧接触して回転駆動される駆動ローラと、前記駆動ローラの回転を伝達する動力伝達機構と、前記動力伝達機構を介して動力伝達されて前記移動手摺の幅方向と平行な軸周りに回転し、清掃剤が付着された外周面を該移動手摺の外周面にすべり接触させ、前記移動手摺の外周面を拭きながら清掃する清掃ローラと、前記清掃剤を、前記清掃ローラの外周面に供給する清掃剤供給手段と、を含んで構成した。
【発明の効果】
【０００６】
以上の構成によって、乗客コンベアの移動手摺の清掃装置は、乗客コンベア両側の無端ベルトで構成される移動手摺の反転部下方のフロア上に設置され、駆動ローラが、移動手摺の反転部下側において、移動手摺に押圧接触して回転駆動され、動力伝達機構が、駆動ローラの回転を伝達し、清掃ローラが、動力伝達機構を介して動力伝達されて移動手摺の幅方向と平行な軸周りに回転し、清掃剤が付着された外周面を移動手摺の外周面にすべり接触させ、移動手摺の外周面を拭きながら清掃し、清掃剤供給手段が、清掃剤を、清掃ローラの外周面に供給する。
【０００７】
ここで、移動手摺の外周面と、清掃ローラの外周面と、の間には、すべり接触が生じるため、移動手摺の清掃能力が向上する。
【発明を実施するための最良の形態】
【０００８】
以下に、本発明に係る乗客コンベアの移動手摺の清掃装置の実施形態について説明する。
図１は、本発明の第１実施形態の側面図を示し、清掃装置１は、乗客コンベア両側の移動手摺３の反転部５下方のフロア７上に載置され、移動する移動手摺３の清掃を行っている状態である。
【０００９】
図１において、水平なフロア７に載置された板状の装置基盤９からは、支柱１１が鉛直上方へ延びている。
また、支柱１１には、支持レバー１３の一端部が、水平面内回転自由に嵌合されている。さらに、支柱１１の支持レバー１３の上下位置には、割りカラー１５，１６が嵌合、締結され、これにより、支持レバー１３は支柱１１に支持されている。
【００１０】
なお、割りカラー１５，１６は、その締結力を調整可能なネジ（図示せず）を備えており、上記締結の解除により、支柱１１への締結位置を上下に調整でき、これにより、支持レバー１３の支柱１１への取り付け高さを調整できる。
支持レバー１３の他端部には、移動手摺３の幅方向と平行に設けられたヒンジ１９を介して、レバー部２１が垂直面内を回動可能に取り付けられ、レバー部２１には、上部が上方へ開放されたハウジング２３が一体に固定され支持されている。
【００１１】
また、前記ヒンジ１９に嵌挿して取り付けられた第２弾性体としての捻りコイルばね２５の両端部が、それぞれ支持レバー１３とレバー部２１とに係合し、該捻りコイルばね２５の弾性力によって、ハウジング２３にヒンジ１９を中心として図示時計回りのモーメントＭを作用させており、ハウジング２３を移動手摺方向（上方向）に付勢している。これにより、ハウジング２３内に設けられた後述する清掃ローラ２７の外周面を、移動手摺３の反転部５下部の外周面へ押圧接触させている。
【００１２】
次に、ハウジング２３内の構成について、より詳細に説明する。
まず、駆動ローラ２９と、駆動ローラ２９より図示下方のウォーム３１と、が、鉛直方向に延びた軸３３に同軸に固定され、軸３３の両端部が、ハウジング２３に取り付けられた各ベアリング３５に軸支されている。この駆動ローラ２９は、移動手摺３の反転部５下側の側部との接触摩擦によって回転駆動し、ウォーム３１は、駆動ローラ２９と一体回転している。
【００１３】
また、図２に示すように、ウォームホイール３７と、ウォームホイール３７より小径の平歯車３９と、が、移動手摺３の幅方向に延びた軸４１に同軸に固定され、軸４１の両端部が、ハウジング２３に取り付けられた各ベアリング４３に軸支されている。このウォームホイール３７は、ウォーム３１と噛合して大きく減速されて回動し、平歯車３９は、周速度がさらに減速されて、ウォームホイール３７と一体回転している。
【００１４】
さらに、平歯車４５が、移動手摺３の幅方向に延びた軸４７に同軸に固定され、軸４７の両端部が、ハウジング２３に取り付けられた各ベアリング４９に軸支され、平歯車４５は平歯車３９と噛合している。
また、平歯車３９より大径の平歯車５１と、清掃ローラ２７と、が、移動手摺３の幅方向に延びた軸５３に同軸に固定され、軸５３の両端部が、ハウジング２３に取り付けられた各ベアリング５５に軸支されている。この平歯車５１は、平歯車４５と噛合して回転駆動され、清掃ローラ２７は、平歯車５１と一体回転している。
【００１５】
清掃ローラ２７は、軸方向の両端部が移動手摺３の形状に沿って湾曲して形成され、移動手摺３を案内するように構成されており、樹脂剤等で形成された芯部２７ａと、芯部２７ａの外周面を覆う拭き布２７ｂと、を備えている。
上記ウォーム３１と、ウォームホイール３７と、平歯車３９，４５，５１と、を含んで構成された動力伝達機構により、清掃ローラ２７は、駆動ローラ２９より周速度が大きく低下し、移動手摺３の外周面とすべり接触しつつ回転することで、拭き布２７ｂによって移動手摺３の外周面を拭いている。
【００１６】
一方、図３に示すように、洗浄液供給ローラ５７が、清掃ローラ２７の下方にて、移動手摺３の幅方向に延びた軸５９に同軸に固定され、軸５９の両端部が、移動手摺３の幅方向に対向した一対の軸受け板６１に設けられたベアリング６１ａに軸支されている。
各軸受け板６１は、鉛直方向に伸縮自在な第１弾性体としてのスプリング６３を介してハウジング２３の底部に取り付けられ、ハウジング２３の底部に立設された案内部材６４によって、軸５９と一体に鉛直方向に移動可能なように案内されている。
【００１７】
かかる構成により、各スプリング６３の弾性力によって、軸受け板６１が上方へ付勢され、ベアリング６１ａに軸支された洗浄液供給ローラ５７は、清掃ローラ２７の外周面に下方から押圧接触している。
ここで、洗浄液供給ローラ５７の少なくとも外周部は、スポンジラバーなど吸液性を有した部材で形成されている一方、ハウジング２３の底部は、清掃剤としての洗浄液６５を貯える洗浄液容器２３ａに形成され、洗浄液供給ローラ５７の下部が、洗浄液容器２３ａ内の洗浄液６５に浸されている。
【００１８】
このような湿式の清掃剤供給手段により、洗浄液６５を含浸した洗浄液供給ローラ５７の外周面を、清掃ローラ２７の外周面へ押圧接触させながら、洗浄液供給ローラ５７を清掃ローラ２７の回転に従属して回転させることで、清掃ローラ２７の外周面（拭き布２７ｂ）に洗浄液を浸透させて供給し、移動手摺３の外周面は、洗浄液を含浸した清掃ローラ２７の拭き布２７ｂによって拭かれる。
【００１９】
なお、洗浄液供給ローラ５７の清掃ローラ２７との接触部では、上記スプリング６３の弾性力によって洗浄液が絞られるが、該弾性力の調整によって、拭き布２７ｂへの洗浄液の供給量を調節するとよい。すなわち、上記供給量は、過少であれば、清掃能力が低下し、一方、過大であれば、移動手摺３に付着する洗浄液が十分に乾燥しないまま通行中の乗客の手へ付着する懸念があるため、このような懸念の生じない範囲で上記供給量を設定するのがよい。
【００２０】
次に、上記のように構成された清掃装置１の使用について説明する。
まず、清掃装置１の装置基盤９を、移動手摺３の反転部５下方のフロア７に載置する。なお、装置基盤９とフロア７との間に両面テープ等を介装し、確実に固定してもよい。
次に、割りカラー１５，１６の支柱１１への締結により、支持レバー１３を支柱１１へ固定し、清掃ローラ２７の外周面を、移動手摺３の反転部５下部外周面に下方から押圧接触させると共に、駆動ローラ２９を、移動手摺３の側面に押圧接触させる。
【００２１】
これにより、移動手摺３の移動に伴って駆動ローラ２９が回転駆動し、この駆動力が上記動力伝達機構を介して清掃ローラ２７へ伝達され、清掃ローラ２７が移動手摺３の外周面とすべり接触して回転し、これに従属して、洗浄液６５を含浸した洗浄液供給ローラ５７が、清掃ローラ２７の外周面に洗浄液６５を塗布しながら回転する。
このようにして、清掃ローラ２７が、外周面に洗浄液６５を塗布されながら、移動手摺３の外周面を拭く。ここで、移動手摺３の外周面と、清掃ローラ２７の外周面と、の間には、すべり接触が伴うため、移動手摺３の清掃能力が向上する。
【００２２】
ここで、清掃ローラ２７は、回転に伴って、移動手摺３との接触面（清掃面）が移動して入れ替わりながら、下部が洗浄液供給ローラ５７に押圧されて拭き布２７ｂ内にしみ込んだ汚れた洗浄液を排出しつつ洗浄液供給ローラ５７に含浸された新たな洗浄液を浸み込ませて交換供給することにより、極めて効率よく清掃することができ、拭き布２７ｂに短時間で汚れが溜まることを抑制でき、拭き布２７ｂの交換寿命を向上できる。
【００２３】
移動手摺３の清掃後は、清掃装置１を清掃状態の位置に載置したまま、ハウジング２３を、捻りコイルばね２５の弾性力に逆らってヒンジ１９を軸として回動させつつ押し下げた後、支柱１１を軸として水平方向に回動させ、移動手摺３の反転部５下方から乗客コンベアの外側へ退避させる。また、上記退避と逆の動作によって、退避状態から容易に清掃状態へ復帰できる。上記退避および復帰により、清掃装置１の撤去および再載置の手間が低減する。
【００２４】
また、洗浄液６５の交換時は、ハウジング２３を傾けて、汚れた洗浄液６５をハウジング２３上部の開放部から排出する。ここで、装置基盤９を清掃状態の位置から動かしたくない場合等は、上記退避状態で、割りカラー１５を支柱１１の上端部から外したうえで、ハウジング２３を支持レバー１３ごと支柱１１から取り外し、洗浄液６５を排出するのがよい。
【００２５】
次に、本発明の第２実施形態について説明する。
本実施形態は、図４に示すように、清掃剤供給手段を、固形のコーティング剤（固形ワックス６７）を清掃ローラ２７の外周面へ塗布する乾式とした点で、前記第１実施形態と相違する。
図４において、一対の軸受け板６１に代えて設けられた一対の昇降板６９には、支持板７１が架け渡されている。
【００２６】
そして、固形ワックス６７は支持板７１上に固定され、スプリング６３の弾性力によって、固形ワックス６７の上面が清掃ローラ２７の外周面へ下方から押圧接触し、これにより、回転する清掃ローラ２７の外周面に固形ワックス６７が塗布される。
ここで、支持板７１上面の移動手摺３の移動方向の両端部には、壁７１ａが立設され、固形ワックス６７は、清掃ローラ２７との接触摩擦力を受けても、支持板７１上から落下しないように構成されている。
【００２７】
なお、固形ワックス６７の磨り減りに伴って、スプリング６３が伸長し、昇降板６９および支持板７１の高さが上昇する。
上記乾式の清掃剤供給手段は、前記第１実施形態の湿式の清掃剤供給手段によって移動手摺３の汚れを十分に除去した後に、移動手摺３の外周面に艶を与える目的で使用するとよい。
【００２８】
したがって、湿式の清掃剤供給手段を用いたハウジング２３と、乾式の清掃剤供給手段を用いたハウジング２３とは、支柱１１を互いに共通の取付部とし、支柱１１に着脱自由に取り付ける構成とするのがよい。
本発明は上記説明に限られず、平歯車４５を省略し、平歯車３９，５１に代えて、図５に示すように、プーリ７３，７５（プーリ７５のほうが大径）を夫々軸４１，５３に同軸に固定し、プーリ７３，７５に無端のタイミングベルト７７を係合し、動力伝達する構成としてもよい。これにより、コストを低減できる。
【図面の簡単な説明】
【００２９】
【図１】本発明の第１実施形態の側面図
【図２】図１の平面図
【図３】図１の正面図
【図４】本発明の第２実施形態の正面図
【図５】図１の動力伝達機構をプーリとタイミングベルトとを用いた構成に変更した図
【符号の説明】
【００３０】
１      清掃装置
３      移動手摺
５      反転部
７      フロア
１１    支柱
１３    支持レバー
２１    レバー部
２３    ハウジング
２３ａ  洗浄液容器
２５    捻りコイルばね（第２弾性体）
２７    清掃ローラ
２９    駆動ローラ
５７    洗浄液供給ローラ
６３    スプリング（第１弾性体）
６５    洗浄液（清掃剤）
６７    固形ワックス（清掃剤）
【図１】
2008063103.tif 000003
【図２】
2008063103.tif 000004
【図３】
2008063103.tif 000005
【図４】
2008063103.tif 000006
【図５】
2008063103.tif 000007